(57)【特許請求の範囲】
【請求項１】
撮影光学系を通過した被写体からの光を結像して撮影画像を取得する撮影手段と、
前記撮影光学系の撮影倍率を連続的に変更するズーム手段と、
前記撮影光学系とは異なるファインダ光学系を介して前記被写体の像を観察可能な光学ファインダと、
前記撮影倍率が第１の撮影倍率に増加したときに前記ファインダ光学系の倍率であるファインダ倍率を第１のファインダ倍率から第２のファインダ倍率に切り替え、前記撮影倍率が前記第１の撮影倍率より小さい第２の撮影倍率に減少したときに前記ファインダ倍率を前記第２のファインダ倍率から前記第１のファインダ倍率に切り替える変倍手段と、
を備える撮影装置。
【請求項２】
前記撮影画像の撮影画角を示す画像を表示する表示手段と、
前記表示手段に表示された画像を、前記光学ファインダで観察される被写体像に重畳して表示させる画像重畳手段と、
を更に備える請求項１に記載の撮影装置。
【請求項３】
前記表示手段は、前記ファインダ倍率が変更される撮影画角を示すマークを更に表示する請求項２に記載の撮影装置。
【請求項４】
前記ズーム手段により前記撮影画像の倍率が前記第１の撮影倍率又は前記第２の撮影倍率に変更された後、前記撮影画像の倍率が所定時間変更されていないかを判断する判断手段を更に備え、
前記変倍手段は、前記判断手段により前記撮影画像の倍率が前記所定時間変更されていないと判断された場合に前記ファインダ倍率を変更する請求項１から３のいずれかに記載の撮影装置。
【請求項５】
前記変倍手段は、前記撮影画像の倍率が変更されている間は、前記ファインダ倍率を最小倍率にする請求項４に記載の撮影装置。
【請求項６】
前記撮影画像の倍率が変更された場合に、前記撮影画像の倍率の変化量を検出する変化量検出手段を更に備え、
前記変倍手段は、前記撮影画像の倍率の変化量が所定値以下の場合には、前記判断手段により前記所定時間経過したと判断された場合に前記ファインダ倍率を変更する請求項４又は５に記載の撮影装置。
【請求項７】
前記変化量検出手段により検出された変化量に応じて前記所定時間を変更する所定時間変更手段を更に備える請求項６に記載の撮影装置。
【請求項８】
前記所定時間変更手段は、前記変化量が大きい場合ほど前記所定時間を短くする請求項７に記載の撮影装置。
【請求項９】
撮影光学系を通過した被写体からの光を結像して撮影画像を取得するステップと、
前記撮影光学系の撮影倍率を変更するステップと、
前記撮影倍率に応じて前記撮影光学系とは異なるファインダ光学系の倍率であるファインダ倍率を変更するステップであって、前記撮影倍率が第１の撮影倍率に増加したときに前記ファインダ倍率を第１のファインダ倍率から第２のファインダ倍率に切り替え、前記撮影倍率が前記第１の撮影倍率より小さい第２の撮影倍率に減少したときに前記ファインダ倍率を前記第２のファインダ倍率から前記第１のファインダ倍率に切り替えるステップと、
を備える撮影方法。
【請求項１０】
撮影光学系を通過した被写体からの光を結像して撮影画像を取得するステップと、
前記撮影光学系の撮影倍率を変更するステップと、
前記撮影倍率に応じて前記撮影光学系とは異なるファインダ光学系の倍率であるファインダ倍率を変更するステップであって、前記撮影倍率が第１の撮影倍率に増加したときに前記ファインダ倍率を第１のファインダ倍率から第２のファインダ倍率に切り替え、前記撮影倍率が前記第１の撮影倍率より小さい第２の撮影倍率に減少したときに前記ファインダ倍率を前記第２のファインダ倍率から前記第１のファインダ倍率に切り替えるステップと、
を演算装置に実行させるプログラム。
【発明の詳細な説明】
【技術分野】
【０００１】
本発明は撮影装置、撮影方法、記録媒体およびプログラムに係り、特に変倍が可能な光学ファインダを有する撮影装置、撮影方法、記録媒体およびプログラムに関する。
【背景技術】
【０００２】
撮影用の光学系とは別に光学ファインダ用の光学系を有する撮影装置は、撮影用の光学系のズーミング動作やピント合わせ動作に伴って光学ファインダ用の光学系についてもズーミング動作やピント合わせ動作を行う。【０００３】
しかしながら、撮影光学系のズーム倍率に合わせて単純にファインダ光学系の倍率を切り替えるとすると、あるズーム位置の前後で撮影光学系のズームを動かした場合には、頻繁にファインダ倍率切り替え、すなわちハンチングが発生してしまう。このような場合には、ユーザーが光学ファインダを覗きながらズーム位置（画角）を決定することが難しくなり、使い勝手の悪いカメラとなってしまう。ピント合わせ動作を行う場合についても同様に、あるピント位置の前後でピント位置を動かした場合にはハンチングが発生してしまう。【０００４】
このような問題に対応するため、特許文献１には、ファインダ光学系のピント位置を離散的に切り替えるにあたって、ファインダ光学系を至近より無限側に移動させる場合は本来のピント位置切り替え点よりも無限側、ファインダ光学系を無限側から至近へと移動させる場合は本来のピント位置切り替え点よりも至近側を、実際のピント位置切り替え点とする撮影装置が開示されている。特許文献１に係る撮影装置では、本来のピント切り替え点と実際のピント切り替え点との間に、いわゆるヒステリシスが設けられる。これにより、ファインダ光学系のピント位置の頻繁な切り替え（ハンチング）が防止される。
【先行技術文献】
【特許文献】
【０００５】
【特許文献１】特開平１１−１４２７２１号公報
【発明の概要】
【発明が解決しようとする課題】
【０００６】
しかしながら、特許文献１に記載の発明は、ピント合わせに対応するものであり、ズーミング時の画角変化による問題を解決することはできない。ズーミングは画角変化を伴うため、ユーザーは、ピント合わせ時よりも煩わしさを感じる。【０００７】
また、特許文献１に記載の発明は、ファインダ光学系を調整するタイミングについては考慮されていない。したがって、カメラが撮影する被写体を変える等のヒステリシスを超える程度の被写体距離変化が連続的にあった場合には、光学ファインダに頻繁な切り替えが発生してしまうという問題がある。【０００８】
本発明はこのような事情に鑑みてなされたもので、カメラのズーム動作に追随しつつも頻繁な切り替えを抑えた使い勝手のよい変倍光学ファインダを有する撮影装置、撮影方法、該撮影装置の処理を制御するためのプログラムおよび該プログラムが格納された記録媒体を提供することを目的とする。
【課題を解決するための手段】
【０００９】
前記目的を達成するために、本発明の一の態様に係る撮影装置は、撮影光学系を通過した被写体光が結像された撮影画像を取得する撮影手段と、撮影画像の倍率を連続的に変更するズーム手段と、撮影光学系とは異なる光学系を介して被写体像を観察可能な光学ファインダと、撮影画像の倍率が増加する方向で第１の撮影倍率に変更されたときに光学ファインダの倍率であるファインダ倍率を第１のファインダ倍率から第２のファインダ倍率に切り替え、撮影画像の倍率が減少する方向で第１の撮影倍率より小さい第２の撮影倍率に変更されたときにファインダ倍率を第２のファインダ倍率から第１のファインダ倍率に切り替える変倍手段とを備える。【００１０】
本発明の一の態様に係る撮影装置によれば、ズーム手段により撮影画像の倍率が変更されると、光学ファインダの倍率であるファインダ倍率が段階的に変更される。そして、撮影画像の倍率が増加する方向で第１の撮影倍率に変更されたときにファインダ倍率を第１のファインダ倍率から第２のファインダ倍率に切り替える。一方、撮影画像の倍率が減少する方向で第１の撮影倍率より小さい第２の撮影倍率に変更されたときにファインダ倍率を第２のファインダ倍率から第１のファインダ倍率に切り替える。これにより、ズームを小刻みに動かしながら画角を決めているときに、光学ファインダが何度も切り替わることがなく、煩わしさがない。したがって、ユーザーはストレスなく画角合わせを行うことができる。なお、撮影倍率は、撮影光学系の焦点距離を変えることによって変更してもよい。また、撮影倍率は、電子ズームのように撮影画像の一部を抜き出して拡大することにより変更してもよい。また、ある倍率までは焦点距離を変更することにより撮影倍率を変更し、撮影倍率をある倍率以上に変更する場合には撮影画像の一部を抜き出すことにより撮影倍率を変更してもよい。【００１１】
本発明の他の態様に係る撮影装置において、撮影画像の撮影画角を示す画像を表示する表示手段と、表示手段に表示された画像を、光学ファインダで観察される被写体像に重畳して表示させる画像重畳手段とを更に備えてもよい。なお、撮影画角を示す画像としては、撮影画角の大きさの枠、撮影画角の４隅に表示されるマーク、撮影画角の外側のマスキング等が考えられる。これにより、ユーザーが撮影画角を調整しやすくなる。【００１２】
本発明の他の態様に係る撮影装置において、表示手段は、ファインダ倍率が変更される撮影画角を示すマークを更に表示してもよい。これにより、どこまでズームするとファインダ倍率が切り替わるかをユーザーが知ることができるため、ファインダ倍率の切り替えによっておこる煩わしさを低減させることができる。【００１３】
本発明の他の態様に係る撮影装置において、ズーム手段により撮影画像の倍率が第１の撮影倍率または第２の撮影倍率に変更された後、撮影画角の倍率が所定時間変更されていないかを判断する判断手段を更に備え、変倍手段は、判断手段により撮影画角の倍率が所定時間変更されていないと判断された場合にファインダ倍率を変更してもよい。これにより、ズーミングの間は、常に光学ファインダの倍率を一定とすることができる。したがって、よりユーザーの煩わしさを軽減でき、ユーザーが撮影画角を合わせやすくすることができる。【００１４】
本発明の他の態様に係る撮影装置において、変倍手段は、撮影画像の倍率が変更されている間は、ファインダ倍率を最小倍率にしてもよい。これにより、常にファインダ画角が適正なブライトフレームサイズを下回ることがなく、どのズーム位置でも撮影画角を確認することができる。【００１５】
本発明の他の態様に係る撮影装置において、撮影画像の倍率が変更された場合に、撮影画像の倍率の変化量を検出する変化量検出手段を更に備え、変倍手段は、撮影画像の倍率の変化量が所定値以下の場合には、判断手段により所定時間経過したと判断された場合にファインダ倍率を変更してもよい。これにより、ズーミングしながら微妙な画角合わせを行う場合には、ズーム駆動中はファインダ倍率を切り替えないようにすることで、画角合わせしやすくすることができる。【００１６】
本発明の他の態様に係る撮影装置において、変化量検出手段により検出された変化量に応じて所定時間を変更する所定時間変更手段を更に備えてもよい。これにより、ズーム移動の速さに応じて待機時間を変えることができる。【００１７】
本発明の他の態様に係る撮影装置において、所定時間変更手段は、変化量が大きい場合ほど所定時間を短くしてもよい。これにより、一気にズームした場合には、素早くファインダ倍率を切り替え可能とすることができる。また、一気にズームした場合には、その後の微妙な画角合わせにすぐに移ることが出来るようにすることができる。【００１８】
本発明の他の態様に係る撮影方法において、撮影光学系を通過した被写体光が結像された撮影画像を取得するステップと、撮影画像の倍率を変更するステップと、撮影画像の倍率に応じて撮影光学系とは異なるファインダ光学系の倍率であるファインダ倍率を変更するステップであって、撮影画像の倍率が増加する方向で第１の撮影倍率に変更されたときにファインダ倍率を第１のファインダ倍率から第２のファインダ倍率に切り替え、撮影画像の倍率が減少する方向で第１の撮影倍率より小さい第２の撮影倍率に変更されたときにファインダ倍率を第２のファインダ倍率から第１のファインダ倍率に切り替えるステップとを備える。【００１９】
本発明の他の態様に係るプログラムにおいて、撮影光学系を通過した被写体光が結像された撮影画像を取得するステップと、撮影画像の倍率を変更するステップと、撮影画像の倍率に応じて撮影光学系とは異なるファインダ光学系の倍率であるファインダ倍率を変更するステップであって、撮影画像の倍率が増加する方向で第１の撮影倍率に変更されたときにファインダ倍率を第１のファインダ倍率から第２のファインダ倍率に切り替え、撮影画像の倍率が減少する方向で第１の撮影倍率より小さい第２の撮影倍率に変更されたときにファインダ倍率を第２のファインダ倍率から第１のファインダ倍率に切り替えるステップとを演算装置に実行させる。
【発明の効果】
【００２０】
本発明によれば、カメラのズーム動作に追随しつつも頻繁な切り替えを抑えた使い勝手のよい変倍光学ファインダを有する撮影装置、撮影方法、該撮影装置の処理を制御するためのプログラムおよび該プログラムが格納された記録媒体を提供することができる。
【図面の簡単な説明】
【００２１】
【図１】撮影装置のブロック図
【図２Ａ】第１の実施の形態におけるファインダ倍率切り替え処理の流れを示すフローチャート
【図２Ｂ】第１の実施の形態におけるファインダ倍率切り替え処理の流れを示すフローチャート（つづき）
【図３】焦点距離とファインダ倍率との関係を示す図
【図４】ファインダの表示のイメージを示す図
【図５】ファインダの表示のイメージを示す図
【図６Ａ】第２の実施の形態におけるファインダ倍率切り替え処理の流れを示すフローチャート
【図６Ｂ】第２の実施の形態におけるファインダ倍率切り替え処理の流れを示すフローチャート（つづき）
【図７】ファインダの表示のイメージを示す図
【図８Ａ】第３の実施の形態におけるファインダ倍率切り替え処理の流れを示すフローチャート
【図８Ｂ】第３の実施の形態におけるファインダ倍率切り替え処理の流れを示すフローチャート（つづき）
【図８Ｃ】第３の実施の形態におけるファインダ倍率切り替え処理の流れを示すフローチャート（つづき）
【図９Ａ】第３の実施の形態の変形例におけるファインダ倍率切り替え処理の流れを示すフローチャート
【図９Ｂ】第３の実施の形態の変形例におけるファインダ倍率切り替え処理の流れを示すフローチャート（つづき）
【図９Ｃ】第３の実施の形態の変形例におけるファインダ倍率切り替え処理の流れを示すフローチャート（つづき）
【図１０Ａ】第４の実施の形態におけるファインダ倍率切り替え処理の流れを示すフローチャート
【図１０Ｂ】第４の実施の形態におけるファインダ倍率切り替え処理の流れを示すフローチャート（つづき）
【図１０Ｃ】第４の実施の形態におけるファインダ倍率切り替え処理の流れを示すフローチャート（つづき）
【図１１Ａ】第５の実施の形態におけるファインダ倍率切り替え処理の流れを示すフローチャート
【図１１Ｂ】第５の実施の形態におけるファインダ倍率切り替え処理の流れを示すフローチャート（つづき）
【図１１Ｃ】第５の実施の形態におけるファインダ倍率切り替え処理の流れを示すフローチャート（つづき）
【図１２Ａ】第５の実施の形態の変形例におけるファインダ倍率切り替え処理の流れを示すフローチャート
【図１２Ｂ】第５の実施の形態の変形例におけるファインダ倍率切り替え処理の流れを示すフローチャート（つづき）
【図１２Ｃ】第５の実施の形態の変形例におけるファインダ倍率切り替え処理の流れを示すフローチャート（つづき）
【図１３Ａ】第６の実施の形態におけるファインダ倍率切り替え処理の流れを示すフローチャート
【図１３Ｂ】第６の実施の形態におけるファインダ倍率切り替え処理の流れを示すフローチャート（つづき）
【図１３Ｃ】第６の実施の形態におけるファインダ倍率切り替え処理の流れを示すフローチャート（つづき）
【図１４】焦点距離の変化量とズーム停止時間判定閾値との関係を示す図
【図１５Ａ】第６の実施の形態の変形例におけるファインダ倍率切り替え処理の流れを示すフローチャート
【図１５Ｂ】第６の実施の形態の変形例におけるファインダ倍率切り替え処理の流れを示すフローチャート（つづき）
【図１５Ｃ】第６の実施の形態の変形例におけるファインダ倍率切り替え処理の流れを示すフローチャート（つづき）
【発明を実施するための形態】
【００２２】
以下、添付図面に従って本発明に係る撮影装置の実施の形態について詳細に説明する。
【００２３】
＜第１の実施の形態＞
［撮像装置の構成の説明］
図１は、デジタルカメラ１の内部構成の一例を示すブロック図である。このデジタルカメラ１は、レンズを通った光を撮像素子で受け、デジタル信号に変換して記憶メディアに記録する。デジタルカメラ１全体の動作は中央処理装置（ＣＰＵ）４１によって統括制御される。
【００２４】
図１に示すように、デジタルカメラ１は、電源１１、撮影光学系１２、撮像素子１３、ＡＦＥ（Analog Front End）１４、ＤＳＰ（Digital Signal Processor）１５、記録メディア１６、操作部１７、表示ドライバ１８、システムバス１９、ＳＤＲＡＭ（Synchronous Dynamic Random Access Memory）２０、フラッシュＲＯＭ（Read-Only Memory）２１、フラッシュ発光部２７、表示部（例えば、ＬＣＤ（Liquid Crystal Display））２２を備えている。さらに、デジタルカメラ１は、撮影光学系１２を駆動するためのレンズドライバ２５、光学ファインダ５１、電子ビューファインダ５２を駆動するためのドライバ（それぞれ２３、２４）を備えている。レンズドライバ２５、ドライバ２３および２４は、ＤＳＰ１５のシリアル入出力（Ｉ／Ｏ）端子と接続されている。
【００２５】
電源１１は、図示しないバッテリーおよび電源制御部を含み、デジタルカメラ１の各ブロックに電源供給を行う。電源供給された各ブロックはＤＳＰ１５に備えられたＣＰＵ４１に制御されて動作する。ＣＰＵ４１は、操作部１７からの入力に基づき所定の制御プログラムを実行し、デジタルカメラ１の各部を制御する。
【００２６】
操作部１７は、レリーズスイッチ、モードダイヤル、十字キー、再生ボタン、ＭＥＮＵ／ＯＫキー、ＢＡＣＫキーを含んでいる。この操作部１７からの信号はＣＰＵ４１に入力され、ＣＰＵ４１は入力信号に基づいてデジタルカメラ１の各回路を制御し、例えば、レンズ駆動制御、絞り駆動制御、撮影動作制御、画像処理制御、画像データの記録／再生制御、立体表示が可能なＬＣＤ２２の表示制御などを行う。
【００２７】
レリーズスイッチは、撮影開始の指示を入力する操作ボタンであり、半押し時にＯＮするＳ１スイッチと、全押し時にＯＮするＳ２スイッチとを有する２段ストローク式のスイッチで構成されている。モードダイヤルは、２Ｄ撮影モード、３Ｄ撮影モード、オート撮影モード、マニュアル撮影モード、人物、風景、夜景等のシーンポジション、マクロモード、動画モード、視差優先撮影モードを選択する選択手段である。
【００２８】
再生ボタンは、撮影記録した立体視画像（３Ｄ画像）、平面画像（２Ｄ画像）の静止画または動画をＬＣＤ２２に表示させる再生モードに切り替えるためのボタンである。ＭＥＮＵ／ＯＫキーは、ＬＣＤ２２の画面上にメニューを表示させる指令を行うためのメニューボタンとしての機能と、選択内容の確定および実行などを指令するＯＫボタンとしての機能とを兼備した操作キーである。十字キーは、上下左右の４方向の指示を入力する操作部であり、メニュー画面から項目を選択したり、各メニューから各種設定項目の選択を指示したりするボタン（カーソル移動操作手段）として機能する。また、十字キーの上／下キーは撮影時のズームスイッチあるいは再生モード時の再生ズームスイッチとして機能し、左／右キーは再生モード時のコマ送り（順方向／逆方向送り）ボタンとして機能する。ＢＡＣＫキーは、選択項目など所望の対象の消去や指示内容の取消し、あるいは１つ前の操作状態に戻らせるときなどに使用される。
【００２９】
フラッシュＲＯＭ２１にはＣＰＵ４１が実行する制御プログラムと、制御に必要な各種パラメータや撮像素子（ＣＣＤ（Charge Coupled Device））１３の画素欠陥データ等が記録されている。ＣＰＵ４１は、このフラッシュＲＯＭ２１に記録された制御プログラムをＳＤＲＡＭ２０に読み出し、逐次実行することにより、デジタルカメラ１の各部を制御する。なお、このＳＤＲＡＭ２０は、プログラムの実行処理領域として利用される。また、ＳＤＲＡＭ２０は、画像データ等の一時記憶領域、各種作業領域として利用される。
【００３０】
撮影光学系１２は、ズームレンズ３１、フォーカスレンズ３２、アイリス３３およびシャッタ３４を含んでいる。ズームレンズ３１、フォーカスレンズ３２、アイリス３３、およびシャッタ３４は、それぞれＣＰＵ４１の命令に基づいてレンズドライバ２５により駆動される。
【００３１】
ズームレンズ３１およびフォーカスレンズ３２は、同じ光軸上を前後移動し、ズームおよびフォーカスを行う。
【００３２】
アイリス３３は、ＣＣＤ１３へ入射する光量を制御し、シャッタスピードおよび露出の制御を行う。アイリス３３は、例えば、５枚の絞り羽根からなり、絞り値Ｆ１．４〜Ｆ１１まで１ＡＶ刻みで６段階に絞り制御される。
【００３３】
シャッタ３４は、ズームレンズ３１、フォーカスレンズ３２およびアイリス３３を介した被写体光を、所定の時間だけＣＣＤ１３へ入射させるように動作する。
【００３４】
ＣＣＤ１３は、シャッタ３４の後段に配置されており、撮影光学系１２を介した被写体光を受光する。ＣＣＤ１３は、周知のように多数の受光素子がマトリクス状に配列された受光面を備えている。撮影光学系１２を介した被写体光は、このＣＣＤ１３の受光面上に結像され、各受光素子によって電気信号に変換される。なお、撮像素子の種類は、ＣＣＤに限定されるものではない。撮像素子としては、ＣＭＯＳ（Complementary Metal Oxide Semiconductor）等の他のイメージセンサも適用可能である。
【００３５】
ＡＦＥ１４は、アナログ信号処理部３５、Ａ／Ｄ変換器３６およびタイミングジェネレータ（ＴＧ）３７を含んでいる。ＣＣＤ１３は、タイミングジェネレータ３７から供給される垂直転送クロックおよび水平転送クロックに同期して、各画素に蓄積された電荷を１ラインずつシリアルな画像信号として出力する。ＣＰＵ４１は、タイミングジェネレータ３７を制御して、ＣＣＤ１３の駆動を制御する。
【００３６】
なお、各画素の電荷蓄積時間（露出時間）は、タイミングジェネレータ３７から与えられる電子シャッタ駆動信号によって決められる。ＣＰＵ４１は、タイミングジェネレータ３７に対して電荷蓄積時間を指示する。
【００３７】
また、画像信号の出力は、デジタルカメラ１が撮影モードにセットされると開始される。すなわち、デジタルカメラ１が撮影モードにセットされると、ＬＣＤ２２にライブビュー画像（スルー画像）を表示するため、画像信号の出力が開始される。このスルー画像用の画像信号の出力は、本撮影の指示が行われると、一旦停止され、本撮影が終了すると、再度開始される。
【００３８】
ＣＣＤ１３から出力される画像信号は、アナログ信号であり、このアナログの画像信号は、アナログ信号処理部３５に取り込まれる。
【００３９】
アナログ信号処理部３５は、相関２重サンプリング回路（ＣＤＳ）、および自動ゲインコントロール回路（ＡＧＣ）を含んでいる。ＣＤＳは、画像信号に含まれるノイズの除去を行う。ＡＧＣは、ノイズ除去された画像信号を所定のゲインで増幅する。このアナログ信号処理部３５で所要の信号処理が施されたアナログの画像信号は、Ａ／Ｄ変換器３６に取り込まれる。
【００４０】
Ａ／Ｄ変換器３６は、取り込んだアナログの画像信号を所定ビットの階調幅を持ったデジタルの画像信号に変換する。この画像信号は、いわゆるＲＡＷデータであり、画素毎Ｒ（赤）、Ｇ（緑）、Ｂ（青）の濃度を示す階調値を有している。このデジタルの画像信号は、ＤＳＰ１５に取り込まれる。
【００４１】
ＤＳＰ１５は、前述したＣＰＵ４１、画像バッファ４２、ＹＣ処理部４３、ＡＥ・ＡＷＢ検出回路４４、ＡＦ検出回路４５、タイマー４６、圧縮伸張部４７、記録メディアインターフェース（Ｉ／Ｆ）４８、ビデオエンコーダ４９を備えている。これらはシステムバス１９と接続されており、システムバス１９を介して互いに情報を送受信することが可能である。
【００４２】
画像バッファ４２は、Ａ／Ｄ変換器３６から取り込んだ１コマ分の画像信号を格納する。
【００４３】
ＡＦ検出回路４５は、ＣＰＵ４１の指令に従い、画像バッファ４２に格納されたＲ、Ｇ、Ｂの画像信号を取り込み、ＡＦ（Automatic Focus）制御に必要な焦点評価値を算出する。このＡＦ検出回路４５は、Ｇ信号の高周波成分のみを通過させるハイパスフィルタ、絶対値化処理部、画面に設定された所定のフォーカス領域（以下、ＡＦエリアという）内の信号を切り出すＡＦエリア抽出部、および、ＡＦエリア内の絶対値データを積算する積算部を含んでいる。ＡＦ検出回路４５は、この積算部で積算されたＡＦエリア内の絶対値データを焦点評価値としてＣＰＵ４１に出力する。焦点評価値に基づくフォーカスレンズ群の制御方式としては、焦点評価値が極大となる位置をサーチし、その位置にフォーカスレンズ３２を移動させる方式や、フォーカスレンズ群を焦点評価値が増加する方向に移動させて、焦点評価値が減少し始める点を検出するとその位置にフォーカスレンズ群を設定する山登り方式を用いることができる。
【００４４】
ＡＥ・ＡＷＢ検出回路４４は、画像バッファ４２に格納されたＲ、Ｇ、Ｂの画像信号を取り込み、画面全体のＧ信号を積算し、または画面中央部と周辺部とで異なる重みづけをしたＧ信号を積算し、そのＡＥ制御に必要な積算値をＣＰＵ４１に出力する。ＣＰＵ４１は、積算値から輝度値を算出し、輝度値から露出値を求める。また、露出値から所定のプログラム線図に従って、絞り値およびシャッタ速度を決定する。
【００４５】
また、ＡＥ・ＡＷＢ検出回路４４は、ＡＷＢ制御に必要な物理量として、１画面を複数のエリア（例えば、１６×１６）に分割し、分割したエリア毎にＲ、Ｇ、Ｂの画像信号の色別の平均積算値を算出する。ＣＰＵ４１は、得られたＲの積算値、Ｂの積算値、Ｇの積算値から分割エリア毎にＲ／ＧおよびＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、例えば各比の値がおよそ１（つまり、１画面においてＲＧＢの積算比率がＲ：Ｇ：Ｂ＝１：１：１）になるように、ホワイトバランス調整回路のＲ、Ｇ、Ｂ信号に対するゲイン値（ホワイトバランス補正値）を決定する。ＡＥ・ＡＷＢ検出回路４４は、画像バッファ４２に格納された１コマ分の画像信号に光源種に応じたデジタルゲインをかけることでホワイトバランス調整を行うとともに、ガンマ（階調特性）処理およびシャープネス処理を行う。
【００４６】
ＹＣ処理部４３は、点順次に取り込んだＲ、Ｇ、Ｂの各色の画像信号に対して所定の信号処理を施し、輝度信号Ｙと色差信号Ｃｒ、Ｃｂとからなる画像信号（Ｙ／Ｃ信号）を生成する。このＹ／Ｃ信号は、ＳＤＲＡＭ２０に格納される。
【００４７】
圧縮伸張部４７は、ＣＰＵ４１からの圧縮指令に従い、入力されたＹ／Ｃ信号に所定形式（例えば、ＪＰＥＧ（Joint Photographic Experts Group））の圧縮処理を施し、圧縮画像データを生成する。また、ＣＰＵ４１からの伸張指令に従い、入力された圧縮画像データに所定形式の伸張処理を施して、非圧縮の画像データを生成する。
【００４８】
ビデオエンコーダ４９は、ＣＰＵ４１からの指令に従い、表示ドライバ１８を介してＬＣＤ２２への表示を制御する。
【００４９】
ＬＣＤ２２は、動画（スルー画像）を表示して電子ビューファインダとして使用できるとともに、撮影した記録前の画像（プレビュー画像）やデジタルカメラ１に装填された記録メディア１６から読み出した再生画像等を表示することができる。また、ＬＣＤ２２は、デジタルカメラ１の動作モードやホワイトバランス、画像のピクセル数、感度等をマニュアル設定する際の各種のメニュー画面をモードダイヤルやメニューボタンの操作に応じて表示させ、操作部１７の操作に応じてマニュアル設定項目の設定が可能なグラフィカル・ユーザ・インターフェース（ＧＵＩ）用の画面を表示する。
【００５０】
記録メディアインターフェース４８は、ＣＰＵ４１からの指令に従い、記録メディア１６に対してデータの読み／書きを制御する。なお、記録メディア１６は、メモリカードのようにカメラ本体に対して着脱自在なものでもよいし、また、カメラ本体に内蔵されたものでもよい。着脱自在とする場合は、デジタルカメラ１の本体にカードスロットを設け、このカードスロットに装填して使用する。
【００５１】
タイマー４６は、セルフタイマーモードにおけるタイマー時間の計測を行う。
【００５２】
ファインダ（ＨＶＦ）５０は、光学ファインダ５１と、電子ビューファインダ（ＥＶＦ）５２と、プリズム５３とを含んでいる。ユーザーは、１つの接眼部を介して光学ファインダ５１の光学像と電子ビューファインダ５２の電子像とを視認可能である。
【００５３】
光学ファインダ５１は、撮影光学系１２の変倍に伴って倍率が段階的に変更可能な変倍光学ファインダである。光学ファインダ５１は、対物レンズと、接眼レンズと、これらの間に設けられ、光学ファインダ５１の光路内に進退自在に配設された２枚の挿入レンズとを含むファインダ光学系を有する。ＣＰＵ４１の指示により挿入レンズが１枚光路内に挿入されると、光学ファインダ５１の倍率（以下、ファインダ倍率という）が１倍から２倍に変更される。さらに、挿入レンズがもう１枚光路内に挿入されると、ファインダ倍率が２倍から３倍に変更される。なお、光学ファインダ５１に含まれるレンズの構成および倍率制御の態様は上記に限定されるものではない。
【００５４】
電子ビューファインダ５２は、表示部（例えば、液晶パネル）を含んでいる。電子ビューファインダ５２の表示は、光学ファインダ５１の光路内に配設されたプリズム５３により光学ファインダ５１の接眼部に導かれる。
【００５５】
［撮像装置の動作の説明］
次に、デジタルカメラ１の動作について説明する。この撮像処理はＣＰＵ４１によって制御される。この撮像処理をＣＰＵ４１に実行させるためのプログラムは、例えば、ＣＰＵ４１内のプログラム格納部に記憶されている。
【００５６】
撮影光学系１２の各レンズ３１および３２を通過した被写体光は、アイリス３３を介してＣＣＤ１３の受光面に結像される。ＣＣＤ１３の各画素に蓄えられた信号電荷は、タイミングジェネレータ３７からの水平および垂直転送クロックに従って、信号電荷に応じた電圧信号（画像信号）として所定のフレームレートで順次読み出され、画像データが順次生成される。生成された画像データは順次ＳＤＲＡＭ２０に入力される。
【００５７】
ＣＰＵ４１は、画像データに基づいて、アイリス３３の開口量（Ｆ値）を変更する。また、ＣＰＵ４１は、操作部１７からの入力に応じて、レンズドライバ２５を介してズームレンズ３１を光軸に沿って移動させてズーミングを行う。
【００５８】
図２Ａおよび図２Ｂは、ファインダ倍率を調整する処理の流れを示すフローチャートである。この処理は、主としてＣＰＵ４１によって行われる。この処理は、定期的なズームレンズ３１の位置の検出のタイミング（例えば、数１０ｍｓ単位）で繰り返し実施される。
【００５９】
ＣＰＵ４１は、ズームレンズ３１の位置（以下、ズーム位置という）、すなわち焦点距離が変わったかどうかを判断する（ステップＳ１０）。ズーム位置が変わっていない場合（ステップＳ１０でＮＯ）には処理を終了する。ズーム位置が変わっている場合（ステップＳ１０でＹＥＳ）には、ＣＰＵ４１は、ズームレンズ３１の位置から焦点距離を取得する（ステップＳ１１）。
【００６０】
ＣＰＵ４１は、ズームレンズ３１がどの方向に移動したか（すなわち、ズームレンズ３１がワイド側からテレ側（低倍率側から高倍率側）に移動しているか、テレ側からワイド側（高倍率側から低倍率側）に移動しているか）を判断する（ステップＳ１２）。本実施の形態では、ズームレンズ３１がワイド側からテレ側に移動している場合と、テレ側からワイド側へ移動している場合とで光学ファインダ５１の倍率（以下、ファインダ倍率という）を変える点に特徴がある。したがって、焦点距離だけでなく、ズームレンズ３１の変化の方向を取得することが重要である。
【００６１】
まず、ズームレンズ３１がワイド側からテレ側に移動している場合を説明する。ＣＰＵ４１は、現在のファインダ倍率を取得する（ステップＳ１３）。
【００６２】
ファインダ倍率が１倍である場合（ステップＳ１３で１倍）には、ＣＰＵ４１は、ステップＳ１２で取得された焦点距離が、図３に示すファインダ倍率切り替え線図における閾値１Ａより大きいか否かを判断する（ステップＳ１４）。焦点距離が閾値１Ａ以下の場合（ステップＳ１４でＮＯ）には、ＣＰＵ４１はファインダ倍率を１倍とする（ステップＳ１６）。焦点距離が閾値１Ａより大きい場合（ステップＳ１４でＹＥＳ）には、ＣＰＵ４１は、ファインダ倍率を２倍とする（ステップＳ１７）。
【００６３】
ファインダ倍率が２倍である場合（ステップＳ１３で２倍）には、ＣＰＵ４１は、ステップＳ１２で取得された焦点距離が、図３に示すファインダ倍率切り替え線図における閾値１Ｂより大きいか否かを判断する（ステップＳ１５）。焦点距離が閾値１Ｂ以下の場合（ステップＳ１５でＮＯ）には、ＣＰＵ４１は、ファインダ倍率を２倍とする（ステップＳ１７）。焦点距離が閾値１Ｂより大きい場合（ステップＳ１５でＹＥＳ）には、ＣＰＵ４１は、ファインダ倍率を３倍とする（ステップＳ１８）。
【００６４】
ファインダ倍率が３倍である場合（ステップＳ１３で３倍）には、ＣＰＵ４１は、ファインダ倍率を３倍とする（ステップＳ１８）。
【００６５】
次に、ズームレンズ３１がテレ側からワイド側に移動している場合を説明する。ＣＰＵ４１は、現在のファインダ倍率を取得する（ステップＳ１９）。
【００６６】
ファインダ倍率が１倍である場合（ステップＳ１９で１倍）には、ファインダ倍率は１倍のまま変更されない（ステップＳ２２）。
【００６７】
ファインダ倍率が２倍である場合（ステップＳ１９で２倍）には、ＣＰＵ４１は、ステップＳ１２で取得された焦点距離が、図３に示すファインダ倍率切り替え線図における閾値２Ａ以下か否かを判断する（ステップＳ２０）。焦点距離が閾値２Ａ以下の場合（ステップＳ２０でＹＥＳ）には、ＣＰＵ４１は、ファインダ倍率を１倍とする（ステップＳ２２）。焦点距離が閾値２Ａより大きい場合（ステップＳ２０でＮＯ）には、ＣＰＵ４１は、ファインダ倍率を２倍とする（ステップＳ２３）。
【００６８】
ファインダ倍率が３倍である場合（ステップＳ１９で３倍）には、ＣＰＵ４１は、ステップＳ１２で取得された焦点距離が、図３に示すファインダ倍率切り替え線図における閾値２Ｂ以下か否かを判断する（ステップＳ２１）。焦点距離が閾値２Ｂ以下の場合（ステップＳ２１でＹＥＳ）には、ＣＰＵ４１は、ファインダ倍率を２倍とする（ステップＳ２３）。焦点距離が閾値２Ｂより大きい場合（ステップＳ２１でＮＯ）には、ＣＰＵ４１は、ファインダ倍率を３倍とする（ステップＳ２４）。
【００６９】
ここで、ファインダ倍率の切り替え線図（図３参照）について説明する。本実施の形態では、閾値近辺でズーム位置が変化してもすぐにはファインダ倍率が切り替わらないように、ヒステリシスを設ける。すなわち、判定用の閾値１Ａ、１Ｂ、２Ａ、２Ｂは数式１に示すような関係を満足するように設定する。
【００７０】
［数１］
閾値１Ａ＞閾値２Ａ
閾値１Ｂ＞閾値２Ｂ
閾値１Ａは閾値２Ａより高倍率側であり、閾値１Ｂは閾値２Ｂより高倍率側である。このようなヒステリシスを持たせない場合には、撮影光学系１２のズーム位置がファインダ倍率の切り替え位置近傍で連続して変わった場合に、その都度ファインダ倍率が切り替えるいわゆるハンチングが発生する。このため、ユーザーが光学ファインダ５１を介して視認する被写体の倍率が頻繁に変更されるために、不快感を覚えやすい。それに対し、図３に示すようなヒステリシスを持たせた場合には、ハンチングが発生せず、光学ファインダ５１を覗くユーザーはストレスなく画角合わせを行うことができる。
【００７１】
図２の説明に戻る。ＣＰＵ４１は、ステップＳ１３、Ｓ１９で取得された現在のファインダ倍率と、ステップＳ１６〜Ｓ１８、Ｓ２２〜Ｓ２４で決定されたファインダ倍率とが同じか否かを判断する（ステップＳ２５）。同じ場合（ステップＳ２５でＹＥＳ）には、ステップＳ２７に進む。異なる場合（ステップＳ２５でＮＯ）には、ＣＰＵ４１は、ドライバ２３を介して挿入レンズを挿入しまたは取り出し、ステップＳ１６〜Ｓ１８、Ｓ２２〜Ｓ２４で決定されたファインダ倍率に変更する（ステップＳ２６）。
【００７２】
ファインダ倍率が切り替えられた（ステップＳ２６）後、または現在のファインダ倍率と決定されたファインダ倍率が同じ場合（ステップＳ２５でＹＥＳ）には、ＣＰＵ４１は、ステップＳ１１で取得された焦点距離と、ステップＳ２６で切り替えられたファインダ倍率とに基づいて、電子ビューファインダ５２にブライトフレームＦを表示する（ステップＳ２７）。ズームレンズ３１は無段階の変倍が可能であるが、光学ファインダ５１は段階的な倍率切り替えが可能となっている（または、ズームレンズ３１の変倍の段階数が光学ファインダ５１の倍率の切り替えの段階数よりも多い）。このため、光学ファインダ５１を介して視認可能な被写体の範囲と、撮影光学系１２を用いて実際に撮影される撮影領域（有効撮影画角）が異なる場合がある。そこで、ＣＰＵ４１は、電子ビューファインダ５２に撮影領域を示すブライトフレームＦを表示させる。
【００７３】
図４は、デジタルカメラ１でのファインダ５０の表示のイメージを示す図である。光学ファインダ５１の光学像に、ブライトフレームＦが重なって表示されている。ブライトフレームＦの大きさ（サイズ）は、光学ファインダ５１とズームレンズ３１の焦点距離（例えば、３５ｍｍ判換算の焦点距離）との差から求められる。また、ブライトフレームＦの位置は、前回の撮影においてＳ１ＯＮ信号が入力された後で行われたＡＦ動作におけるフォーカス位置から算出される被写体距離に基づいて求められる。ただし、電源を入れた直後など前回の撮影で得られたフォーカス位置の情報がない場合には、初期設定されたフォーカス位置から算出される被写体距離に基づいてブライトフレームＦの位置を決定する。
【００７４】
図４の（Ａ）部に示す状態から撮影光学系１２のズーム倍率が変化すると、撮影画角が変わるため、図４の（Ｂ）部に示すようにブライトフレームＦのサイズが変化する。ただし、さらにブライトフレームＦが小さくなると、光学ファインダ５１の画角と、実際の撮影画角（ブライトフレームＦ）のズレが大きくなり、撮影しづらい。したがって、図４の（Ｃ）部に示すように、焦点距離が所定の閾値を越えたときに、ブライトフレームＦがファインダ画角に入る範囲で光学ファインダ５１の倍率を切り替える。光学ファインダ５１の倍率を切り替えた場合には、ブライトフレームＦの大きさも合わせて切り替える。なお、図３の閾値１Ａ、１Ｂ、２Ａ、２Ｂは、基本的にブライトフレームＦの大きさが光学ファインダ５１の画角以下になるように決められている。
【００７５】
なお、ブライトフレームＦの表示は、スルー画像の撮影開始直後（図２に示すファインダ倍率を調整する処理の開始の前）にも行ってもよい。これにより、ズーミング処理の前にも光学ファインダ５１で確認している画角と撮影画角との違いを認識することができる。スルー画像の撮影開始直後にブライトフレームＦの表示をしない場合には、ＣＰＵ４１は、撮影画角がファインダ倍率と一致するように撮影光学系１２と光学ファインダ５１と制御してもよい。
【００７６】
なお、撮影画角はブライトフレームＦで示す場合に限定されない。例えば、撮影画角を示す撮影領域の４隅にマークを表示してもよい。さらに、ユーザーが撮影領域を認識しやすくするために、図５に示すように、ＣＰＵ４１は、電子ビューファインダ５２のブライトフレームＦの外側をマスキングして半透明のグレー表示としてもよい。これにより、撮影画角をよりわかり易くすることができる。
【００７７】
これにより、図２に示すファインダ倍率を調整する処理を終了する。なお、ファインダ倍率を調整する処理は、一度終了したらそれで終わりではなく、Ｓ１ＯＮ信号が入力されるまで所定の間隔で繰り返し行われる。
【００７８】
レリーズスイッチが半押しされると、Ｓ１ＯＮ信号がＣＰＵ４１に入力され、ＣＰＵ４１はＡＦ検出回路４５およびＡＥ・ＡＷＢ検出回路４４を介してＡＥ／ＡＦ／ＡＷＢ動作を実施する。なお、焦点評価値が極大となる位置をサーチするコントラストＡＦを行っている場合には、この段階で始めてＡＦ検出回路４５により被写体距離が取得される。したがって、ＣＰＵ４１は、ブライトフレームＦの位置を被写体距離から算出し、パララックスを考慮した位置へとブライトフレームＦを微調整する。被写体距離が短い（３ｍ程度）場合には、パララックスがあるためにＳ１の前後でブライトフレームＦが移動する。一方、被写体距離が長い場合には、パララックスの影響が少ないためブライトフレームＦはほとんど移動しない。
【００７９】
その後、レリーズスイッチが全押しされると、ＣＰＵ４１にＳ２ＯＮ信号が入力され、ＣＰＵ４１は、撮影、記録処理を開始する。すなわち、測光結果に基づき決定されたシャッタ速度、絞り値でＣＣＤ１３を露光する。
【００８０】
ＣＣＤ１３から出力された画像データは、ＡＦＥ１４を介してＹＣ処理部４３に取り込まれて輝度／色差信号（Ｙ／Ｃ信号）に変換される。該画像データは、圧縮伸張部４７で所定の圧縮フォーマット（例えば、ＪＰＥＧ形式）に従って圧縮された後、ＳＤＲＡＭ２０に格納される。
【００８１】
ＳＤＲＡＭ２０に記憶された圧縮データから画像ファイルが生成され、その画像ファイルは記録メディアインターフェース４８を介して記録メディア１６に記録される。これにより、画像が撮影、記録される。
【００８２】
以上のようにして記録メディア１６に記録された画像は、再生ボタンによりデジタルカメラ１の動作モードを再生モードに設定することにより、ＬＣＤ２２で再生表示させることができる。
【００８３】
再生モードに設定されると、ＣＰＵ４１は、記録メディアインターフェース４８を介して、記録メディア１６に最後に記録された画像ファイルを読み出す。
【００８４】
読み出された画像ファイルの圧縮画像データは、圧縮伸張部４７に加えられ、非圧縮の輝度／色差信号に伸張されたのち、ビデオエンコーダ４９を介してＬＣＤ２２に出力される。
【００８５】
画像のコマ送りは、十字キーの左右のキー操作によって行われる。十字キーの右キーが押されると、次の画像ファイルが記録メディア１６から読み出され、ＬＣＤ２２に再生表示される。また、十字キーの左キーが押されると、１つ前の画像ファイルが記録メディア１６から読み出され、ＬＣＤ２２に再生表示される。
【００８６】
本実施の形態によれば、ズームを小刻みに動かしながら画角を決めているときに、光学ファインダ５１のファインダ倍率が何度も切り替わることがなく、煩わしさがない。したがって、ユーザーはストレスなく画角合わせを行うことができる。
【００８７】
なお、本実施の形態では、撮影光学系１２が交換可能なデジタルカメラを例に説明したが、本発明の実施の形態はこれに限定されるものではない。本発明はレンズ一体型で変倍光学ファインダを備えたデジタルカメラにも適用可能である。
【００８８】
また、本実施の形態では、ズームレンズ３１を移動させる光学ズームにより画角調整する場合を例に説明したが、ズーム手段は光学ズームに限定されるものではない。例えば、ＣＣＤ１３に結像された画像の一部を切り出して撮影倍率を変化させる電子ズームを用いる撮影装置にも適用可能である。また、光学ズームによりズームレンズ３１がテレ端に移動された後、電子ズームを用いる撮影装置にも適用することができる。また、本実施の形態では、ファインダ倍率の切り替えが３段階であるが、３段階に限定されるものではない。
【００８９】
なお、本実施の形態では、電子ビューファインダ５２にブライトフレームＦを表示させて光学像に重畳表示させたが、ブライトフレームＦの表示は必須ではない。この場合には、光学ファインダ（電子ビューファインダが重畳表示されないもの）にも適用可能である。また、本実施の形態では、ブライトフレームＦを電子ビューファインダ５２に表示させたが、ブライトフレームＦを光学ファインダ５１に重畳表示することが可能な手段であれば電子ビューファインダ５２には限定されない。例えば、光学ファインダ５１の光軸内に液晶モニタを配設し、液晶モニタに枠を表示させるようにしてもよい。
【００９０】
＜第２の実施の形態＞
本発明の第１の実施の形態は、電子ビューファインダ５２に撮影領域を示すブライトフレームＦを表示させる形態であるが、ブライトフレームＦの表示形態はこれに限られない。
【００９１】
本発明の第２の実施の形態は、ブライトフレームＦおよびファインダ倍率切り替えアシストをファインダ表示する形態である。以下、第２の実施の形態に係るデジタルカメラ１−１について説明する。なお、第１の実施の形態と同一の部分については説明を省略する。
【００９２】
図６Ａおよび図６Ｂは、ファインダ倍率を調整する処理の流れを示すフローチャートである。この処理は、主としてＣＰＵ４１によって行われる。この処理は、定期的なズームレンズ３１の位置の検出のタイミング（例えば、数１０ｍｓ単位）で繰り返し実施される。
【００９３】
ＣＰＵ４１は、ズーム位置が変わったかどうかを判断する（ステップＳ１０）。ズーム位置が変わっていない場合（ステップＳ１０でＮＯ）には処理を終了する。ズーム位置が変わっている場合（ステップＳ１０でＹＥＳ）には、ＣＰＵ４１は、ズームレンズ３１の位置から焦点距離を取得する（ステップＳ１１）。
【００９４】
ＣＰＵ４１は、ズームレンズ３１がどの方向に移動したかを判断する（ステップＳ１２）。
【００９５】
ズームレンズ３１がワイド側からテレ側に移動している場合には、まずＣＰＵ４１は、現在のファインダ倍率を取得する（ステップＳ１３）。ファインダ倍率が１倍である場合（ステップＳ１３で１倍）には、ＣＰＵ４１は、ステップＳ１２で取得された焦点距離が閾値１Ａより大きいか否かを判断する（ステップＳ１４）。焦点距離が閾値１Ａ以下の場合（ステップＳ１４でＮＯ）には、ＣＰＵ４１はファインダ倍率を１倍とする（ステップＳ１６）。焦点距離が閾値１Ａより大きい場合（ステップＳ１４でＹＥＳ）には、ＣＰＵ４１は、ファインダ倍率を２倍とする（ステップＳ１７）。
【００９６】
ファインダ倍率が２倍である場合（ステップＳ１３で２倍）には、ＣＰＵ４１は、ステップＳ１２で取得された焦点距離が閾値１Ｂより大きいか否かを判断する（ステップＳ１５）。焦点距離が閾値１Ｂ以下の場合（ステップＳ１５でＮＯ）には、ＣＰＵ４１は、ファインダ倍率を２倍とする（ステップＳ１７）。焦点距離が閾値１Ｂより大きい場合（ステップＳ１５でＹＥＳ）には、ＣＰＵ４１は、ファインダ倍率を３倍とする（ステップＳ１８）。
【００９７】
ファインダ倍率が３倍である場合（ステップＳ１３で３倍）には、ＣＰＵ４１は、ファインダ倍率を３倍とする（ステップＳ１８）。
【００９８】
ズームレンズ３１がテレ側からワイド側に移動している場合には、まず、ＣＰＵ４１は、現在のファインダ倍率を取得する（ステップＳ１９）。ファインダ倍率が１倍である場合（ステップＳ１９で１倍）には、ファインダ倍率は１倍のまま変更されない（ステップＳ２２）。
【００９９】
ファインダ倍率が２倍である場合（ステップＳ１９で２倍）には、ＣＰＵ４１は、ステップＳ１２で取得された焦点距離が閾値２Ａ以下か否かを判断する（ステップＳ２０）。焦点距離が閾値２Ａ以下の場合（ステップＳ２０でＹＥＳ）には、ＣＰＵ４１は、ファインダ倍率を１倍とする（ステップＳ２２）。焦点距離が閾値２Ａより大きい場合（ステップＳ２０でＮＯ）には、ＣＰＵ４１は、ファインダ倍率を２倍とする（ステップＳ２３）。
【０１００】
ファインダ倍率が３倍である場合（ステップＳ１９で３倍）には、ＣＰＵ４１は、ステップＳ１２で取得された焦点距離が閾値２Ｂ以下か否かを判断する（ステップＳ２１）。焦点距離が閾値２Ｂ以下の場合（ステップＳ２１でＹＥＳ）には、ＣＰＵ４１は、ファインダ倍率を２倍とする（ステップＳ２３）。焦点距離が閾値２Ｂより大きい場合（ステップＳ２１でＮＯ）には、ＣＰＵ４１は、ファインダ倍率を３倍とする（ステップＳ２４）。
【０１０１】
ＣＰＵ４１は、ステップＳ１３、Ｓ１９で取得された現在のファインダ倍率と、ステップＳ１６〜Ｓ１８、Ｓ２２〜Ｓ２４で決定されたファインダ倍率とが同じか否かを判断する（ステップＳ２５）。同じ場合（ステップＳ２５でＹＥＳ）には、ステップＳ２７に進む。異なる場合（ステップＳ２５でＮＯ）には、ＣＰＵ４１は、ドライバ２３を介して挿入レンズを挿入しまたは取り出し、ステップＳ１６〜Ｓ１８、Ｓ２２〜Ｓ２４で決定されたファインダ倍率とする（ステップＳ２６）。
【０１０２】
ＣＰＵ４１は、ステップＳ１１で取得された焦点距離と、ステップＳ２６で切り替えられたファインダ倍率とに基づいて、電子ビューファインダ５２にファインダ倍率切り替えアシストを表示する（ステップＳ３１）。ファインダ倍率切り替えアシストが表示された（ステップＳ３１）後、または現在のファインダ倍率と決定されたファインダ倍率が同じ場合（ステップＳ２５でＹＥＳ）には、ＣＰＵ４１は、ステップＳ１１で取得された焦点距離と、ステップＳ２６で切り替えられたファインダ倍率とに基づいて、電子ビューファインダ５２にブライトフレームＦを表示する（ステップＳ２７）。
【０１０３】
図７は、デジタルカメラ１−１でのファインダ５０の表示のイメージを示す図である。ファインダ倍率切り替えアシストとは、ブライトフレームＦ（撮影画角）がどの程度の大きさになった場合にファインダ倍率が切り替わるかをユーザーに知らせるための表示である。ブライトフレームＦの外側には低倍率側のファインダ倍率切り替えアシストＡ１が表示され、ブライトフレームＦの内側には高倍率側のファインダ倍率切り替えアシストＡ２が表示される。
【０１０４】
ブライトフレームＦが低倍率側のファインダ倍率切り替えアシストＡ１まで大きくなった場合には、図７の（Ｄ）部から（Ｃ）部、（Ｃ）部から（Ｂ）部、（Ｂ）部から（Ａ）部のようにファインダ倍率が低い側に切り替えられる。また、ブライトフレームＦが高倍率側のファインダ倍率切り替えアシストＡ２まで小さくなった場合には、図７の（Ａ）部から（Ｂ）部、（Ｂ）部から（Ｃ）部、（Ｃ）部から（Ｄ）部のようにファインダ倍率が高い側に切り替えられる。これにより、どこまでズームするとファインダ倍率が切り替わるかをユーザーが知ることができるため、ファインダ倍率の切り替えによっておこる煩わしさを低減させることができる。
【０１０５】
なお、このファインダ倍率切り替えアシスト表示では、低倍率側のファインダ倍率切り替えアシストＡ１と高倍率側のファインダ倍率切り替えアシストＡ２とで枠の色、枠の太さ、枠の線種等を変えることもできる。これにより、ユーザーにとっては、アシストＡ１とＡ２がよりわかり易く表示される。同様の理由により、ブライトフレームＦと低倍率側のファインダ倍率切り替えアシストＡ１、高倍率側のファインダ倍率切り替えアシストＡ２との色、太さ、線種等も変えることが望ましい。
【０１０６】
なお、ファインダ倍率切り替えアシスト表示は、図６Ａおよび図６Ｂに示すファインダ倍率を調整する処理の開始の前に行うようにしてもよい。これにより、ズーミング処理の前にもどこまでズームするとファインダ倍率が切り替わるかをユーザーが知ることができる。
【０１０７】
本実施の形態によれば、ズーミングが行われたときやファインダ倍率が変わったときには、ブライトフレームＦおよびファインダ倍率切り替えアシストを更新することができる。これにより、ファインダ倍率の切り替えによっておこる煩わしさを低減させることができる。
【０１０８】
なお、本実施の形態では、ブライトフレームＦおよびファインダ倍率切り替えアシストを電子ビューファインダ５２に表示させたが、ブライトフレームＦおよびファインダ倍率切り替えアシストを光学ファインダ５１に重畳表示が可能な手段であれば電子ビューファインダ５２には限定されない。例えば、光学ファインダ５１の光軸内に液晶モニタを配設し、液晶モニタに枠を表示させるようにしてもよい。
【０１０９】
＜第３の実施の形態＞
本発明の第１の実施の形態では、焦点距離の変化があった場合にはファインダ倍率の決定および変更をする形態であるが、画角調整時にはファインダ倍率が変わらない方がよい場合もある。
【０１１０】
本発明の第３の実施の形態は、ズーミングが行われた後一定時間ズームングが行われなかった場合にファインダ倍率の決定および変更をする形態である。以下、第３の実施の形態に係るデジタルカメラ１−２について説明する。なお、第１、２の実施の形態と同一の部分については説明を省略する。
【０１１１】
図８Ａから図８Ｃは、ファインダ倍率を調整する処理の流れを示すフローチャートである。この処理は、主としてＣＰＵ４１によって行われる。この処理は、定期的なズームレンズ３１の位置の検出のタイミング（例えば、数１０ｍｓ単位）で繰り返し実施される。
【０１１２】
ＣＰＵ４１は、ズームレンズ３１の位置から焦点距離を取得する（ステップＳ１１）。
【０１１３】
ＣＰＵ４１は、ズームレンズ３１が移動された後、所定時間ズームレンズ３１が移動されていないか否か、すなわち撮影画角が変更されていないか否かを判断する（ステップＳ４１）。例えば、前回取得した焦点距離と今回取得した焦点距離との差からズーム変化の有無を検出し、もし焦点距離が変化していない場合には変化していない時間を取得し、この時間が所定時間を越えているか否かを判断する。なお、この所定時間は、ズーム位置検出のポーリング間隔（数１０ｍｓ）を必ず超えるような時間に設定する必要がある。所定時間をズーム位置検出のポーリング間隔以下に設定すると、ズーム位置に変化があった時点でファインダ倍率が切り替わってしまうためである。
【０１１４】
ズームレンズ３１が移動されていない場合、ズームレンズ３１が移動された後所定時間経過していない場合（ステップＳ４１でＮＯ）には、定期的なズーム位置検出の間隔、例えば１０ｍｓ単位）だけ待機し（ステップＳ４２）、ステップＳ１１へ戻る。すなわち、所定時間を超えるまで、焦点距離検出（ステップＳ１１）とズーム停止時間判定（ステップＳ４１）を繰り返す。
【０１１５】
ズームレンズ３１が移動された後、ズームレンズ３１が移動された後所定時間経過した場合（ステップＳ４１でＹＥＳ）には、ＣＰＵ４１は、その前にファインダ倍率の判定処理（ステップＳ１３〜Ｓ２４）が行われたときに取得された焦点距離を取得する（ステップＳ４３）。
【０１１６】
ＣＰＵ４１は、ステップＳ４３で取得された焦点距離と、ステップＳ１１で取得された焦点距離とを比較し、ズームレンズ３１がワイド側からテレ側に移動しているのか、ズームレンズ３１がテレ側からワイド側に移動しているのかを判断する（ステップＳ４４）。
【０１１７】
ズームレンズ３１がワイド側からテレ側に移動している場合には、まず、ＣＰＵ４１は、現在のファインダ倍率を取得する（ステップＳ１３）。ファインダ倍率が１倍である場合（ステップＳ１３で１倍）には、ＣＰＵ４１は、ステップＳ１２で取得された焦点距離が閾値１Ａより大きいか否かを判断する（ステップＳ１４）。焦点距離が閾値１Ａ以下の場合（ステップＳ１４でＮＯ）には、ＣＰＵ４１はファインダ倍率を１倍とする（ステップＳ１６）。焦点距離が閾値１Ａより大きい場合（ステップＳ１４でＹＥＳ）には、ＣＰＵ４１は、ファインダ倍率を２倍とする（ステップＳ１７）。
【０１１８】
ファインダ倍率が２倍である場合（ステップＳ１３で２倍）には、ＣＰＵ４１は、ステップＳ１２で取得された焦点距離が閾値１Ｂより大きいか否かを判断する（ステップＳ１５）。焦点距離が閾値１Ｂ以下の場合（ステップＳ１５でＮＯ）には、ＣＰＵ４１は、ファインダ倍率を２倍とする（ステップＳ１７）。焦点距離が閾値１Ｂより大きい場合（ステップＳ１５でＹＥＳ）には、ＣＰＵ４１は、ファインダ倍率を３倍とする（ステップＳ１８）。
【０１１９】
ファインダ倍率が３倍である場合（ステップＳ１３で３倍）には、ＣＰＵ４１は、ファインダ倍率を３倍とする（ステップＳ１８）。
【０１２０】
ズームレンズ３１がテレ側からワイド側に移動している場合には、まず、ＣＰＵ４１は、現在のファインダ倍率を取得する（ステップＳ１９）。ファインダ倍率が１倍である場合（ステップＳ１９で１倍）には、ファインダ倍率は１倍のまま変更されない（ステップＳ２２）。
【０１２１】
ファインダ倍率が２倍である場合（ステップＳ１９で２倍）には、ＣＰＵ４１は、ステップＳ１２で取得された焦点距離が閾値２Ａ以下か否かを判断する（ステップＳ２０）。焦点距離が閾値２Ａ以下の場合（ステップＳ２０でＹＥＳ）には、ＣＰＵ４１は、ファインダ倍率を１倍とする（ステップＳ２２）。焦点距離が閾値２Ａより大きい場合（ステップＳ２０でＮＯ）には、ＣＰＵ４１は、ファインダ倍率を２倍とする（ステップＳ２３）。
【０１２２】
ファインダ倍率が３倍である場合（ステップＳ１９で３倍）には、ＣＰＵ４１は、ステップＳ１２で取得された焦点距離が閾値２Ｂ以下か否かを判断する（ステップＳ２１）。焦点距離が閾値２Ｂ以下の場合（ステップＳ２１でＹＥＳ）には、ＣＰＵ４１は、ファインダ倍率を２倍とする（ステップＳ２３）。焦点距離が閾値２Ｂより大きい場合（ステップＳ２１でＮＯ）には、ＣＰＵ４１は、ファインダ倍率を３倍とする（ステップＳ２４）。
【０１２３】
ＣＰＵ４１は、ステップＳ１３、Ｓ１９で取得された現在のファインダ倍率と、ステップＳ１６〜Ｓ１８、Ｓ２２〜Ｓ２４で決定されたファインダ倍率とが同じか否かを判断する（ステップＳ２５）。同じ場合（ステップＳ２５でＹＥＳ）には、ステップＳ２７に進む。異なる場合（ステップＳ２５でＮＯ）には、ＣＰＵ４１は、ドライバ２３を介して挿入レンズを挿入しまたは取り出し、ステップＳ１６〜Ｓ１８、Ｓ２２〜Ｓ２４で決定されたファインダ倍率とする（ステップＳ２６）。
【０１２４】
ファインダ倍率が切り替えられた（ステップＳ２６）後、または現在のファインダ倍率と決定されたファインダ倍率が同じ場合（ステップＳ２５でＹＥＳ）には、ＣＰＵ４１は、ステップＳ１１で取得された焦点距離と、ステップＳ２６で切り替えられたファインダ倍率とに基づいて、電子ビューファインダ５２にブライトフレームＦを表示する（ステップＳ２７）。
【０１２５】
本実施の形態によれば、撮影光学系１２のズームレンズ３１を動かしている間は、常に光学ファインダの倍率を一定とすることができる。したがって、よりユーザーの煩わしさを軽減でき、ユーザーが撮影画角を合わせやすくすることができる。
【０１２６】
＜第３の実施の形態の変形例＞
図９Ａから図９Ｃは、第３の実施の形態の変形例におけるファインダ倍率を調整する処理の流れを示すフローチャートである。第３の実施の形態と第３の実施の形態の変形例との違いは、ファインダ倍率切り替えアシストを表示するか否かである。なお、図８と同一の部分については、同一の符号を付して説明を省略する。
【０１２７】
ＣＰＵ４１は、ファインダ倍率を切り替えた（ステップＳ２６）後、ステップＳ１１で取得された焦点距離と、ステップＳ２６で切り替えられたファインダ倍率とに基づいて、電子ビューファインダ５２にファインダ倍率切り替えアシストを表示する（ステップＳ３１）。これにより、ズーミングが行われたときやファインダ倍率が変わったときには、ブライトフレームおよびファインダ倍率切り替えアシストを更新することができる。
【０１２８】
＜第４の実施の形態＞
本発明の第３の実施の形態では、ズーミングが行われた後一定時間ズームングが行われなかった場合にファインダ倍率の決定および変更を行う。本実施形態は、上記第３の実施の形態において、ズーム駆動方向によらず、ファインダの画角が適正なブライトフレームサイズを下回らないようにするものである。
【０１２９】
本発明の第４の実施の形態は、ズーミングが行われた場合にはファインダ倍率を１倍にする形態である。以下、第４の実施の形態に係るデジタルカメラ１−３について説明する。なお、第１〜３の実施の形態と同一の部分については説明を省略する。
【０１３０】
図１０Ａから図１０Ｃは、ファインダ倍率を調整する処理の流れを示すフローチャートである。この処理は、主としてＣＰＵ４１によって行われる。この処理は、定期的なズームレンズ３１の位置の検出のタイミング（例えば、数１０ｍｓ単位）で繰り返し実施される。
【０１３１】
ＣＰＵ４１は、ズームレンズ３１の位置から焦点距離を取得する（ステップＳ１１）。ＣＰＵ４１は、ズーム位置が変わったかどうかを判断する（ステップＳ１０）。ズーム位置が変わっている場合（ステップＳ１０でＹＥＳ）には、ＣＰＵ４１は、現在のファインダ倍率が１倍であるか否かを判断する（ステップＳ５０）。現在のファインダ倍率が１倍でない場合（ステップＳ５０でＮＯ）には、ファインダ倍率を１倍に切り替える（ステップＳ５１）。すなわち、ズーム変化があった場合には、最も広角（１倍）なファインダ倍率とする。
【０１３２】
ズーム位置が変わっていない場合（ステップＳ１０でＮＯ）、現在のファインダ倍率が１倍である場合（ステップＳ５０でＹＥＳ）には、ＣＰＵ４１は、ズームレンズ３１が移動された後、所定時間ズームレンズ３１が移動されていないか否かを判断する（ステップＳ４１）。
【０１３３】
ズームレンズ３１が移動されていない場合、ズームレンズ３１が移動された後所定時間経過していない場合（ステップＳ４１でＮＯ）には、定期的なズーム位置検出の間隔、例えば１０ｍｓ単位）だけ待機し（ステップＳ４２）、ステップＳ１１へ戻る。すなわち、所定時間を超えるまで、焦点距離検出（ステップＳ１１）とズーム停止時間判定（ステップＳ４１）を繰り返す。
【０１３４】
ズームレンズ３１が移動された後、所定時間経過した場合（ステップＳ４１でＹＥＳ）には、ＣＰＵ４１は、その前にファインダ倍率の判定処理（ステップＳ１３〜Ｓ２４）が行われたときに取得された焦点距離を取得する（ステップＳ４３）。
【０１３５】
ＣＰＵ４１は、ステップＳ４３で取得された焦点距離と、ステップＳ１１で取得された焦点距離とを比較し、ズームレンズ３１がワイド側からテレ側に移動しているのか、ズームレンズ３１がテレ側からワイド側に移動しているのかを判断する（ステップＳ４４）。
【０１３６】
ズームレンズ３１がワイド側からテレ側に移動している場合には、まず、ＣＰＵ４１は、現在のファインダ倍率を取得する（ステップＳ１３）。ファインダ倍率が１倍である場合（ステップＳ１３で１倍）には、ＣＰＵ４１は、ステップＳ１２で取得された焦点距離が閾値１Ａより大きいか否かを判断する（ステップＳ１４）。焦点距離が閾値１Ａ以下の場合（ステップＳ１４でＮＯ）には、ＣＰＵ４１はファインダ倍率を１倍とする（ステップＳ１６）。焦点距離が閾値１Ａより大きい場合（ステップＳ１４でＹＥＳ）には、ＣＰＵ４１は、ファインダ倍率を２倍とする（ステップＳ１７）。
【０１３７】
ファインダ倍率が２倍である場合（ステップＳ１３で２倍）には、ＣＰＵ４１は、ステップＳ１２で取得された焦点距離が閾値１Ｂより大きいか否かを判断する（ステップＳ１５）。焦点距離が閾値１Ｂ以下の場合（ステップＳ１５でＮＯ）には、ＣＰＵ４１は、ファインダ倍率を２倍とする（ステップＳ１７）。焦点距離が閾値１Ｂより大きい場合（ステップＳ１５でＹＥＳ）には、ＣＰＵ４１は、ファインダ倍率を３倍とする（ステップＳ１８）。
【０１３８】
ファインダ倍率が３倍である場合（ステップＳ１３で３倍）には、ＣＰＵ４１は、ファインダ倍率を３倍とする（ステップＳ１８）。
【０１３９】
ズームレンズ３１がテレ側からワイド側に移動している場合には、まず、ＣＰＵ４１は、現在のファインダ倍率を取得する（ステップＳ１９）。ファインダ倍率が１倍である場合（ステップＳ１９で１倍）には、ファインダ倍率は１倍のまま変更されない（ステップＳ２２）。
【０１４０】
ファインダ倍率が２倍である場合（ステップＳ１９で２倍）には、ＣＰＵ４１は、ステップＳ１２で取得された焦点距離が閾値２Ａ以下か否かを判断する（ステップＳ２０）。焦点距離が閾値２Ａ以下の場合（ステップＳ２０でＹＥＳ）には、ＣＰＵ４１は、ファインダ倍率を１倍とする（ステップＳ２２）。焦点距離が閾値２Ａより大きい場合（ステップＳ２０でＮＯ）には、ＣＰＵ４１は、ファインダ倍率を２倍とする（ステップＳ２３）。
【０１４１】
ファインダ倍率が３倍である場合（ステップＳ１９で３倍）には、ＣＰＵ４１は、ステップＳ１２で取得された焦点距離が閾値２Ｂ以下か否かを判断する（ステップＳ２１）。焦点距離が閾値２Ｂ以下の場合（ステップＳ２１でＹＥＳ）は、ＣＰＵ４１は、ファインダ倍率を２倍とする（ステップＳ２３）。焦点距離が閾値２Ｂより大きい場合（ステップＳ２１でＮＯ）には、ＣＰＵ４１は、ファインダ倍率を３倍とする（ステップＳ２４）。
【０１４２】
ＣＰＵ４１は、ステップＳ１３、Ｓ１９で取得された現在のファインダ倍率と、ステップＳ１６〜Ｓ１８、Ｓ２２〜Ｓ２４で決定されたファインダ倍率とが同じか否かを判断する（ステップＳ２５）。同じ場合（ステップＳ２５でＹＥＳ）には、ステップＳ２７に進む。異なる場合（ステップＳ２５でＮＯ）は、ＣＰＵ４１は、ドライバ２３を介して挿入レンズを挿入しまたは取り出し、ステップＳ１６〜Ｓ１８、Ｓ２２〜Ｓ２４で決定されたファインダ倍率とする（ステップＳ２６）。
【０１４３】
ファインダ倍率が切り替えられた（ステップＳ２６）後、または現在のファインダ倍率と決定されたファインダ倍率が同じ場合（ステップＳ２５でＹＥＳ）には、ＣＰＵ４１は、ステップＳ１１で取得された焦点距離と、ステップＳ２６で切り替えられたファインダ倍率とに基づいて、電子ビューファインダ５２にブライトフレームＦを表示する（ステップＳ２７）。
【０１４４】
本実施の形態によれば、撮影光学系１２のズームレンズ３１を動かしている間は、常にファインダ倍率が一定となる。このため、よりユーザーの煩わしさを軽減でき、撮影画角を合わせやすくすることができる。また、常にファインダ画角が適正なブライトフレームサイズを下回ることがなく、どのズーム位置でも撮影画角を確認することができる。
【０１４５】
＜第５の実施の形態＞
本発明の第１の実施の形態は、焦点距離の変化があった場合にはファインダ倍率の決定および変更をする形態であるが、画角調整時にはファインダ倍率が変わらない方がよい場合もある。
【０１４６】
本発明の第５の実施の形態は、ズーミングの速さによりファインダ倍率を変えるか否かを異ならせる形態である。以下、第５の実施の形態に係るデジタルカメラ１−４について説明する。なお、第１〜第４の実施の形態と同一の部分については説明を省略する。
【０１４７】
図１１Ａから図１１Ｃは、ファインダ倍率を調整する処理の流れを示すフローチャートである。この処理は、主としてＣＰＵ４１によって行われる。この処理は、定期的なズームレンズ３１の位置の検出のタイミング（例えば、数１０ｍｓ単位）で繰り返し実施される。
【０１４８】
ＣＰＵ４１は、ズームレンズ３１の位置から焦点距離を取得する（ステップＳ１１）。ＣＰＵ４１は、ズーム位置が変わったかどうかを判断する（ステップＳ１０）。ズーム位置が変わっている場合（ステップＳ１０でＹＥＳ）には、前回行われたファインダ倍率を調整する処理において取得された焦点距離と、今回のファインダ倍率を調整する処理で取得された焦点距離との変化量を算出し、その変化量が変化閾値を超えているか否かを判断する（ステップＳ６０）。焦点距離の変化量は、数式２に示す式に基づいて算出する。
【０１４９】
［数２］
ワイドからテレ方向の焦点距離変化量（倍）＝変化後の焦点距離(mm)／変化前の焦点距離(mm)
テレからワイド方向の焦点距離変化量（倍）＝変化前の焦点距離(mm)／変化後の焦点距離(mm)
焦点距離の変化量が閾値を超えていない場合（ステップＳ６０でＮＯ）は、微妙な画角合わせを行う場合が考えられる。この場合には、ＣＰＵ４１は、ズームレンズ３１が移動された後、所定時間ズームレンズ３１が移動されていないか否かを判断する（ステップＳ４１）。
【０１５０】
ズームレンズ３１が移動されていない場合、ズームレンズ３１が移動された後所定時間経過していない場合（ステップＳ４１でＮＯ）には、定期的なズーム位置検出の間隔、例えば、１０ｍｓ単位）だけ待機し（ステップＳ４２）、ステップＳ１１へ戻る。すなわち、所定時間を超えるまで、焦点距離検出（ステップＳ１１）とズーム停止時間判定（ステップＳ４１）を繰り返す。すなわち、微妙な画角合わせを行う場合には、ズームレンズ３１駆動中はファインダ倍率の切り替えを行わないようにし、画角合わせを容易にする。
【０１５１】
焦点距離の変化量が閾値を超えている場合（ステップＳ６０でＹＥＳ）には、一気にズームした場合等が考えられる。この場合には、ズーム停止時間判定（ステップＳ４１、Ｓ４２）は行わず、素早くファインダ倍率を切り替え可能とする。したがって、焦点距離の変化量が閾値を超えている場合（ステップＳ６０でＹＥＳ）およびズームレンズ３１が移動された後所定時間経過した場合（ステップＳ４１でＹＥＳ）には、ＣＰＵ４１は、その前にファインダ倍率の判定処理（ステップＳ１３〜Ｓ２４）が行われたときに取得された焦点距離を取得する（ステップＳ４３）。
【０１５２】
ＣＰＵ４１は、ステップＳ４３で取得された焦点距離と、ステップＳ１１で取得された焦点距離とを比較する。そして、ＣＰＵ４１は、ズームレンズ３１がワイド側からテレ側に移動しているのか、ズームレンズ３１がテレ側からワイド側に移動しているのかを判断する（ステップＳ４４）。
【０１５３】
ズームレンズ３１がワイド側からテレ側に移動している場合には、まず、ＣＰＵ４１は、現在のファインダ倍率を取得する（ステップＳ１３）。ファインダ倍率が１倍である場合（ステップＳ１３で１倍）には、ＣＰＵ４１は、ステップＳ１２で取得された焦点距離が閾値１Ａより大きいか否かを判断する（ステップＳ１４）。焦点距離が閾値１Ａ以下の場合（ステップＳ１４でＮＯ）には、ＣＰＵ４１はファインダ倍率を１倍とする（ステップＳ１６）。焦点距離が閾値１Ａより大きい場合（ステップＳ１４でＹＥＳ）には、ＣＰＵ４１は、ファインダ倍率を２倍とする（ステップＳ１７）。
【０１５４】
ファインダ倍率が２倍である場合（ステップＳ１３で２倍）には、ＣＰＵ４１は、ステップＳ１２で取得された焦点距離が閾値１Ｂより大きいか否かを判断する（ステップＳ１５）。焦点距離が閾値１Ｂ以下の場合（ステップＳ１５でＮＯ）には、ＣＰＵ４１は、ファインダ倍率を２倍とする（ステップＳ１７）。焦点距離が閾値１Ｂより大きい場合（ステップＳ１５でＹＥＳ）には、ＣＰＵ４１は、ファインダ倍率を３倍とする（ステップＳ１８）。
【０１５５】
ファインダ倍率が３倍である場合（ステップＳ１３で３倍）には、ＣＰＵ４１は、ファインダ倍率を３倍とする（ステップＳ１８）。
【０１５６】
ズームレンズ３１がテレ側からワイド側に移動している場合には、まず、ＣＰＵ４１は、現在のファインダ倍率を取得する（ステップＳ１９）。ファインダ倍率が１倍である場合（ステップＳ１９で１倍）には、ファインダ倍率は１倍のまま変更されない（ステップＳ２２）。
【０１５７】
ファインダ倍率が２倍である場合（ステップＳ１９で２倍）には、ＣＰＵ４１は、ステップＳ１２で取得された焦点距離が閾値２Ａ以下か否かを判断する（ステップＳ２０）。焦点距離が閾値２Ａ以下の場合（ステップＳ２０でＹＥＳ）には、ＣＰＵ４１は、ファインダ倍率を１倍とする（ステップＳ２２）。焦点距離が閾値２Ａより大きい場合（ステップＳ２０でＮＯ）には、ＣＰＵ４１は、ファインダ倍率を２倍とする（ステップＳ２３）。
【０１５８】
ファインダ倍率が３倍である場合（ステップＳ１９で３倍）には、ＣＰＵ４１は、ステップＳ１２で取得された焦点距離が閾値２Ｂ以下か否かを判断する（ステップＳ２１）。焦点距離が閾値２Ｂ以下の場合（ステップＳ２１でＹＥＳ）には、ＣＰＵ４１は、ファインダ倍率を２倍とする（ステップＳ２３）。焦点距離が閾値２Ｂより大きい場合（ステップＳ２１でＮＯ）には、ＣＰＵ４１は、ファインダ倍率を３倍とする（ステップＳ２４）。
【０１５９】
ＣＰＵ４１は、ステップＳ１３、Ｓ１９で取得された現在のファインダ倍率と、ステップＳ１６〜Ｓ１８、Ｓ２２〜Ｓ２４で決定されたファインダ倍率とが同じか否かを判断する（ステップＳ２５）。同じ場合（ステップＳ２５でＹＥＳ）には、ステップＳ２７に進む。異なる場合（ステップＳ２５でＮＯ）には、ＣＰＵ４１は、ドライバ２３を介して挿入レンズを挿入しまたは取り出し、ステップＳ１６〜Ｓ１８、Ｓ２２〜Ｓ２４で決定されたファインダ倍率とする（ステップＳ２６）。
【０１６０】
ファインダ倍率が切り替えられた（ステップＳ２６）後、または現在のファインダ倍率と決定されたファインダ倍率が同じ場合（ステップＳ２５でＹＥＳ）には、ＣＰＵ４１は、ステップＳ１１で取得された焦点距離と、ステップＳ２６で切り替えられたファインダ倍率とに基づいて、電子ビューファインダ５２にブライトフレームＦを表示する（ステップＳ２７）。
【０１６１】
本実施の形態によれば、ズーミングしながら微妙な画角合わせを行う場合には、ズーム駆動中はファインダ倍率を切り替えないようにすることで、画角合わせしやすくしつつ、一気にズームした場合には、素早くファインダ倍率を切り替え可能とすることで、その後の微妙な画角合わせにすぐに移ることが出来るようにする。
【０１６２】
＜第５の実施の形態の変形例＞
図１２Ａから図１２Ｃは、第５の実施の形態の変形例におけるファインダ倍率を調整する処理の流れを示すフローチャートである。第５の実施の形態と第５の実施の形態の変形例との違いは、ファインダ倍率切り替えアシストを表示するか否かである。なお、図８と同一の部分については、同一の符号を付して説明を省略する。
【０１６３】
ＣＰＵ４１は、ファインダ倍率を切り替えた（ステップＳ２６）後、ステップＳ１１で取得された焦点距離と、ステップＳ２６で切り替えられたファインダ倍率とに基づいて、電子ビューファインダ５２にファインダ倍率切り替えアシストを表示する（ステップＳ３１）。これにより、ズーミングが行われたときやファインダ倍率が変わったときには、ブライトフレームおよびファインダ倍率切り替えアシストを更新することができる。
【０１６４】
＜第６の実施の形態＞
本発明の第５の実施の形態は、ズーミングの速さによりファインダ倍率の切り替え処理を異ならせる形態であるが、ファインダ倍率の切り替え処理を異ならせる方法はこれに限られない。
【０１６５】
本発明の第６の実施の形態は、ズーミングの速さによりズーム停止時間の閾値を異ならせる形態である。以下、第６実施の形態に係るデジタルカメラ１−５について説明する。なお、第１〜第５の実施の形態と同一の部分については説明を省略する。
【０１６６】
図１３Ａから図１３Ｃは、ファインダ倍率を調整する処理の流れを示すフローチャートである。この処理は、主としてＣＰＵ４１によって行われる。この処理は、定期的なズームレンズ３１の位置の検出のタイミング（例えば、数１０ｍｓ単位）で繰り返し実施される。
【０１６７】
ＣＰＵ４１は、ズームレンズ３１の位置から焦点距離を取得する（ステップＳ１１）。ＣＰＵ４１は、ズーム位置が変わったかどうかを判断する（ステップＳ１０）。ズーム位置が変わっている場合（ステップＳ１０でＹＥＳ）には、ＣＰＵ４１は、前回行われたファインダ倍率を調整する処理において取得された焦点距離と、今回のファインダ倍率を調整する処理で取得された焦点距離との変化量を算出し、その変化量に応じてズーム停止時間判定閾値を算出する（ステップＳ７０）。
【０１６８】
図１４は、ズーム判定時間閾値と焦点距離の変化量との関係を示すグラフである。本実施の形態では、ＣＰＵ４１は、このグラフに基づいてズーム判定時間閾値を決定する。図１４に示すグラフによれば、変化量が１．５倍以下の場合には、ズーム判定時間閾値は１０００ｍｓで固定される。また、変化量が３倍以上の場合には０ｍｓで固定される。すなわち、素早くズーミングしている場合にはすぐにファインダ倍率を切り替え可能とする。そして、変化量が１．５倍〜３倍の間は、変化量が大きくなるにつれてズーム停止時間判定閾値が短くなるように、焦点距離変化量に応じてズーム停止時間判定閾値を無段階に切り替える。なお、このグラフは一例であり、ズーム判定時間閾値と焦点距離の変化量との関係はこれに限られない。
【０１６９】
ＣＰＵ４１は、ズームレンズ３１が移動された後、ズームレンズ３１が移動されていない時間がステップＳ７０で決定されたズーム停止時間判定閾値以上であるか否かを判断する（ステップＳ７１）。
【０１７０】
ズームレンズ３１が移動されていない場合、ズームレンズ３１が移動された後ズーム停止時間判定閾値以上経過していない場合（ステップＳ７１でＮＯ）には、定期的なズーム位置検出の間隔、例えば、１０ｍｓ単位）だけ待機し（ステップＳ７２）、ステップＳ１１へ戻る。
【０１７１】
ズームレンズ３１が移動された後ズーム停止時間判定閾値以上経過している場合（ステップＳ７１でＹＥＳ）には、一気にズームした場合等が考えられる。このため、素早くファインダ倍率を切り替え可能とする。すなわち、ＣＰＵ４１は、その前にファインダ倍率の判定処理（ステップＳ１３〜Ｓ２４）が行われたときに取得された焦点距離を取得する（ステップＳ４３）。
【０１７２】
ＣＰＵ４１は、ステップＳ４３で取得された焦点距離と、ステップＳ１１で取得された焦点距離とを比較し、ズームレンズ３１がワイド側からテレ側に移動しているのか、ズームレンズ３１がテレ側からワイド側に移動しているのかを判断する（ステップＳ４４）。
【０１７３】
ズームレンズ３１がワイド側からテレ側に移動している場合には、まず、ＣＰＵ４１は、現在のファインダ倍率を取得する（ステップＳ１３）。ファインダ倍率が１倍である場合（ステップＳ１３で１倍）には、ＣＰＵ４１は、ステップＳ１２で取得された焦点距離が閾値１Ａより大きいか否かを判断する（ステップＳ１４）。焦点距離が閾値１Ａ以下の場合（ステップＳ１４でＮＯ）には、ＣＰＵ４１はファインダ倍率を１倍とする（ステップＳ１６）。焦点距離が閾値１Ａより大きい場合（ステップＳ１４でＹＥＳ）には、ＣＰＵ４１は、ファインダ倍率を２倍とする（ステップＳ１７）。
【０１７４】
ファインダ倍率が２倍である場合（ステップＳ１３で２倍）には、ＣＰＵ４１は、ステップＳ１２で取得された焦点距離が閾値１Ｂより大きいか否かを判断する（ステップＳ１５）。焦点距離が閾値１Ｂ以下の場合（ステップＳ１５でＮＯ）には、ＣＰＵ４１は、ファインダ倍率を２倍とする（ステップＳ１７）。焦点距離が閾値１Ｂより大きい場合（ステップＳ１５でＹＥＳ）には、ＣＰＵ４１は、ファインダ倍率を３倍とする（ステップＳ１８）。
【０１７５】
ファインダ倍率が３倍である場合（ステップＳ１３で３倍）には、ＣＰＵ４１は、ファインダ倍率を３倍とする（ステップＳ１８）。
【０１７６】
ズームレンズ３１がテレ側からワイド側に移動している場合には、まず、ＣＰＵ４１は、現在のファインダ倍率を取得する（ステップＳ１９）。ファインダ倍率が１倍である場合（ステップＳ１９で１倍）には、ファインダ倍率は１倍のまま変更されない（ステップＳ２２）。
【０１７７】
ファインダ倍率が２倍である場合（ステップＳ１９で２倍）には、ＣＰＵ４１は、ステップＳ１２で取得された焦点距離が閾値２Ａ以下か否かを判断する（ステップＳ２０）。焦点距離が閾値２Ａ以下の場合（ステップＳ２０でＹＥＳ）には、ＣＰＵ４１は、ファインダ倍率を１倍とする（ステップＳ２２）。焦点距離が閾値２Ａより大きい場合（ステップＳ２０でＮＯ）には、ＣＰＵ４１は、ファインダ倍率を２倍とする（ステップＳ２３）。
【０１７８】
ファインダ倍率が３倍である場合（ステップＳ１９で３倍）には、ＣＰＵ４１は、ステップＳ１２で取得された焦点距離が閾値２Ｂ以下か否かを判断する（ステップＳ２１）。焦点距離が閾値２Ｂ以下の場合（ステップＳ２１でＹＥＳ）には、ＣＰＵ４１は、ファインダ倍率を２倍とする（ステップＳ２３）。焦点距離が閾値２Ｂより大きい場合（ステップＳ２１でＮＯ）には、ＣＰＵ４１は、ファインダ倍率を３倍とする（ステップＳ２４）。
【０１７９】
ＣＰＵ４１は、ステップＳ１３、Ｓ１９で取得された現在のファインダ倍率と、ステップＳ１６〜Ｓ１８、Ｓ２２〜Ｓ２４で決定されたファインダ倍率とが同じか否かを判断する（ステップＳ２５）。同じ場合（ステップＳ２５でＹＥＳ）には、ステップＳ２７に進む。異なる場合（ステップＳ２５でＮＯ）には、ＣＰＵ４１は、ドライバ２３を介して挿入レンズを挿入しまたは取り出し、ステップＳ１６〜Ｓ１８、Ｓ２２〜Ｓ２４で決定されたファインダ倍率とする（ステップＳ２６）。
【０１８０】
ファインダが切り替えられた（ステップＳ２６）後、または現在のファインダ倍率と決定されたファインダ倍率が同じ場合（ステップＳ２５でＹＥＳ）には、ＣＰＵ４１は、ステップＳ１１で取得された焦点距離と、ステップＳ２６で切り替えられたファインダ倍率とに基づいて、電子ビューファインダ５２にブライトフレームＦを表示する（ステップＳ２７）。
【０１８１】
本実施の形態によれば、ゆっくりズーミングする（例えば微妙な画角合わせを行う）場合には、ズーム駆動中はファインダ倍率を切り替えないようにすることで、画角合わせしやすくする。一方、一気にズームした場合には、素早くファインダ倍率を切り替え可能とすることで、その後の微妙な画角合わせにすぐに移ることが出来るようにする。
【０１８２】
また、本実施の形態では、ゆっくりズーミングしたときのズーミングの早さに応じてファインダ倍率切り替えまでの時間を変えることができる。ユーザーによって撮影画角を決定するときのズーミングの速さが異なることが考えられる。同じような画角決定をする場合でも、ズームレンズを速く動かしながら撮影画角を決定できる人は、ズームレンズを動かすか止めるかの判断も速くできると考えられる。このような場合には、ファインダ倍率を速く切り替え、撮影に早く移れるようにした方がよい。したがって、ズーミングの早さに応じてファインダ倍率切り替えまでの時間を変えることで、ユーザーに合わせた適正なスピードでファインダ倍率を切り替えることができ、ファインダ倍率切り替えまで不要な待ち時間がないようにできる。
【０１８３】
＜第６の実施の形態の変形例＞
図１５Ａから図１５Ｃは、第６の実施の形態の変形例におけるファインダ倍率を調整する処理の流れを示すフローチャートである。第６の実施の形態と第６の実施の形態の変形例との違いは、ファインダ倍率切り替えアシストを表示するか否かである。なお、図１３と同一の部分については、同一の符号を付して説明を省略する。
【０１８４】
ＣＰＵ４１は、ファインダ倍率を切り替えた（ステップＳ２６）後、ステップＳ１１で取得された焦点距離と、ステップＳ２６で切り替えられたファインダ倍率とに基づいて、電子ビューファインダ５２にファインダ倍率切り替えアシストを表示する（ステップＳ３１）。これにより、ズーミングが行われたときやファインダ倍率が変わったときには、ブライトフレームおよびファインダ倍率切り替えアシストを更新することができる。
【０１８５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。そのような変更または改良を加えた形態も本発明の技術的範囲に含まれ得ることが、特許請求の範囲の記載から明らかである。
【０１８６】
本発明は、デバイス（例えば、電子カメラ）に上記の処理を行わせるためのコンピューター読取可能なプログラムコード、該プログラムコードが格納される非一次的（non-transitory）かつコンピューター読取可能な記録媒体（例えば、光ディスク（例えば、ＣＤ（Compact Disc）、ＤＶＤ（Digital Versatile Disc）、ＢＤ（Blu-ray Disc））、磁気ディスク（例えば、ハードディスク、光磁気ディスク））、および該方法のための実行可能なコードを格納するコンピューター・プログラム・プロダクトとして提供することができる。
【０１８７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１８８】
１、１−１、１−２、１−３、１−４…デジタルカメラ、１２…撮影光学系、１３…ＣＣＤ、１４…ＡＦＥ、１５…ＤＳＰ、３１…ズームレンズ、３２…フォーカスレンズ、３３…アイリス、３４…シャッタ、４１…ＣＰＵ、４４…ＡＥ・ＡＷＢ検出回路、４５…ＡＦ検出回路、５０…ファインダ、５１…光学ファインダ、５２…電子ビューファインダ
【図１】
0005546691.tif 000002
【図２Ａ】
0005546691.tif 000003
【図２Ｂ】
0005546691.tif 000004
【図３】
0005546691.tif 000005
【図４】
0005546691.tif 000006
【図５】
0005546691.tif 000007
【図６Ａ】
0005546691.tif 000008
【図６Ｂ】
0005546691.tif 000009
【図７】
0005546691.tif 000010
【図８Ａ】
0005546691.tif 000011
【図８Ｂ】
0005546691.tif 000012
【図８Ｃ】
0005546691.tif 000013
【図９Ａ】
0005546691.tif 000014
【図９Ｂ】
0005546691.tif 000015
【図９Ｃ】
0005546691.tif 000016
【図１０Ａ】
0005546691.tif 000017
【図１０Ｂ】
0005546691.tif 000018
【図１０Ｃ】
0005546691.tif 000019
【図１１Ａ】
0005546691.tif 000020
【図１１Ｂ】
0005546691.tif 000021
【図１１Ｃ】
0005546691.tif 000022
【図１２Ａ】
0005546691.tif 000023
【図１２Ｂ】
0005546691.tif 000024
【図１２Ｃ】
0005546691.tif 000025
【図１３Ａ】
0005546691.tif 000026
【図１３Ｂ】
0005546691.tif 000027
【図１３Ｃ】
0005546691.tif 000028
【図１４】
0005546691.tif 000029
【図１５Ａ】
0005546691.tif 000030
【図１５Ｂ】
0005546691.tif 000031
【図１５Ｃ】
0005546691.tif 000032